(57)【要約】      （修正有）【課題】洗濯バサミにより吊るすことなくフードを掛けることができる被服用ハンガーを提供する。【解決手段】被服用ハンガー１は、フック部６を有するフック支持部５と、このフック支持部５よりもその高さが低いフード支持部７と、フック支持部５若しくはフード支持部７の少なくとも一方と連設された肩掛け部４とを備える。【選択図】図１
2012000321.tif 000002
【特許請求の範囲】
【請求項１】
フック部を有するフック支持部と、
該フック支持部よりもその高さが低いフード支持部と、
前記フック支持部若しくは前記フード支持部の少なくとも一方と連設された肩掛け部とを備える
被服用ハンガー。
【請求項２】
前記フック支持部は、その一部が前記フード支持部と対面して構成されている
請求項１に記載の被服用ハンガー。
【請求項３】
任意の高さで、フード支持部の幅はフック支持部の幅よりも大きい構成とされている
請求項１に記載の被服用ハンガー。
【請求項４】
前記フック支持部とフード支持部の高さの差が所定未満であり、
前記フード支持部の上端に把持部が構成されている
請求項１、請求項２または請求項３に記載の被服用ハンガー。
【請求項５】
前記フード支持部の上方に回転部材を有する
請求項１、請求項２、請求項３または請求項４に記載の被服用ハンガー。
【発明の詳細な説明】
【技術分野】
【０００１】
本発明は被服用ハンガーに関する。詳しくは、フード付被服のフードの形状を崩さずに干すことができる被服用ハンガーに係るものである。
【背景技術】
【０００２】
一般的なハンガーは、フードが掛けられず、垂れ下がったままなので干してもなかなか乾かず、非常に不便であった。また、クローゼット等に収納する時にフードが垂れ下がったままなので嵩張り、出し入れの際にフードが引っかかったりする等の問題があった。
【０００３】
そこで、フード付き衣類專用の被服用ハンガーとして、例えば特許文献１に記載されたものが知られている。
具体的には、特許文献１に記載されたフード付き衣類用物干しハンガーは、図８に示すように、衣類ハンガーのフック１０１とハンガー部１０２間のロッド１０３をフード付き衣類のフードが吊り下げられるほどの長さとし、このロッド１０３近傍に直交して横棒１０４を設け、この横棒１０４からフードを挟んで吊り下げる３個の洗濯バサミ１０５をクサリ１０６で吊り下げた構成とされている。
【０００４】
また、特許文献２に記載されたフード付き衣類用ハンガーは、図９に示すように、複数連結されているハンガー１１０の上部に内筒を有した筒状のフード掛けアーム１１１が併設された構成とされている。
【０００５】
また、この種のフード付被服用ハンガー補助具として、例えば特許文献３に記載されたものが知られている。
具体的には、特許文献３に記載されたフード付被服用ハンガー補助具は、図１０に示すように、フード付衣服のフードに挿入され、フードの立体形状を保持するように形成されたフード支持体１２０と、一端側にハンガー１２１と係合するためのハンガー係合部１２２が設けられると共に他端側には物干し竿等に吊るすためのハンガーフック部１２３が設けられたハンガーフック本体１２４とを備えた構成とされている。
【先行技術文献】
【特許文献】
【０００６】
【特許文献１】特許第３９２８１７１号公報
【０００７】
【特許文献２】特開２００９−７２５５５号公報
【０００８】
【特許文献３】実用新案登録第３１０１９１６号公報
【発明の概要】
【発明が解決しようとする課題】
【０００９】
上述した特許文献１に記載されたフード付き衣類用物干しハンガーでは、洗濯バサミでフードの何か所か挟んで止めるという作業をしなければならず、余分な手間が掛ると共に、フードを洗濯バサミによって吊るすことでフードが型崩れしやすくなる等の問題がある。
【００１０】
また、洗濯以外での収納（例えば、クローゼットへの収納）ではフードを洗濯バサミで止めているだけなので安定せず、出し入れをする収納には向いていない。
【００１１】
また、上述した特許文献２に記載されたフード付き衣類用ハンガーでは、もともと袖かけ用のハンガーであり、フード付きの衣類はハンガーの両側にしか干すことができない。
更に、その前後方向に突出したフード掛けアームにフードを掛ける構成とされるために、フードがずれ落ちる可能性があり、洗濯バサミで止めなければならないために、洗濯バサミでの取り付け作業とフードが型崩れしやすくなる等の問題がある。
【００１２】
また、袖かけ用のハンガーであるために、ハンガー自体が幅を取った構成とされ、かつ単独で使用することができないためにクローゼット等への収納に向いていないのが現状である。
【００１３】
また、フードなしの衣類との併用で最大で２着のフード付きの衣類しか干すことができず効率良く干すことができない。更に、一着のみに使用の時にはハンガーが一方に傾いてバランスが取れなくなる。
【００１４】
また、上述した特許文献３に記載されたフード付被服用ハンガー補助具では、干すたびに一般のハンガーへの着脱作業を要する問題がある。更に、ハンガーに対して前後方向に突出した状態となるためにクローゼット等への収納に向かず、あるいはベランダ等の限られた狭いスペースでは干す枚数が限られてしまう問題がある。
【００１５】
更に、補助具なので一般的なハンガーに取り付けるという作業をしなければならない。また、外に干す場合にはフードを止めるものがないために風によって補助具からフードが脱げやすい問題がある。
【００１６】
本発明は、以上の点に鑑みて創案されたものであって、洗濯バサミを必要とせずに干すことを実現可能とした被服用ハンガーを提供することを目的とするものである。
【課題を解決するための手段】
【００１７】
上記の目的を達成するために、本発明に係る被服用ハンガーは、フック部を有するフック支持部と、該フック支持部よりもその高さが低いフード支持部と、前記フック支持部若しくは前記フード支持部の少なくとも一方と連設された肩掛け部とを備える。
【００１８】
ここで、フック部を有するフック支持部と、このフック支持部よりもその高さが低いフード支持部と、フック支持部若しくはフード支持部の少なくとも一方と連設された肩掛け部とを備えることによって、フード付き衣類のフードをフード支持部に被せることでフードを立ち上げた状態で干すことが可能となる。
【００１９】
また、フック支持部は、その一部がフード支持部と対面して構成されていることによって、フード付き衣類のフードをフック支持部との間に挿し入れるようにしてフード支持部に被せることでフードを風等で外れないように係留することが可能となる。
【００２０】
また、任意の高さで、フード支持部の幅はフック支持部の幅よりも大きい構成とされることによって、フード支持部とフック支持部との２点において接触若しくは近接した状態となりフードをフック支持部との間に挿し入れるようにしてフード支持部に被せることで型崩れすることなくフードを支持することが可能となる。
【００２１】
また、フック支持部とフード支持部の高さの差が所定未満であり、フード支持部の上端に把持部が構成されることによって、フック支持部とフード支持部の上端を同時に掴んだ状態でフード付き衣類を通すことが可能となる。
なお、フック支持部とフード支持部の高さの差が所定とは、フック支持部の上端とフード支持部の把持部とを片手で同時に掴むことができる距離を表すものである。
【００２２】
また、フード支持部の上方に回転部材を有することによって、フード付き衣類のフードのフード支持部への脱着時の際の摩擦によって回転部材が回転してフードをスムーズに脱着することが可能となる。
【発明の効果】
【００２３】
本発明の被服用ハンガーによれば、フード付き衣類を干す場合にフードをフック支持部との間に挿し入れるような状態でフード支持部に被せることで型崩れすることなくフードを立ち上げた状態での洗濯干しが可能となる。
【図面の簡単な説明】
【００２４】
【図１】本発明を適用した被服用ハンガーの一例を説明するための正面模式図である。
【図２】本発明を適用した被服用ハンガーの一例を説明するための側面模式図である。
【図３】本発明を適用した被服用ハンガーの他の形態を説明するための正面模式図である。
【図４】本発明を適用した被服用ハンガーによるフード付き衣類の取り付ける手順を説明するための模式図である。
【図５】本発明を適用した被服用ハンガーによるフード付き衣類のフードを取り付ける手順を説明するための模式図である。
【図６】本発明を適用した被服用ハンガーの他の例を説明するための正面模式図である。
【図７】本発明を適用した被服用ハンガーのフード支持部の他の形態を説明するための模式図である。
【図８】従来のフード付き衣類用物干しハンガーの一例を説明するための模式図である。
【図９】従来のフード付き衣類用物干しハンガーの他の例を説明するための模式図である。
【図１０】従来のフード付被服用ハンガー補助具の一例を説明するための模式図である。
【発明を実施するための形態】
【００２５】
以下、本発明の実施の形態を図面を参酌しながら説明し、本発明の理解に供する。
【００２６】
＜実施例１＞
図１は本発明を適用した被服用ハンガーの一例を説明するための正面模式図、図２は本発明を適用した被服用ハンガーの一例を説明するための側面模式図である。
【００２７】
ここで示す被服用ハンガー１は、塩化ビニル等の合成樹脂材により被覆された線材を折り曲げ、あるいは接続した構成とされている。
【００２８】
ここで、その両側を傾斜状に折り曲げて肩掛け部４、４が形成された後の底辺部３の長さが肩幅の長さと略等しい長さとした構成とされている。
【００２９】
また、肩掛け部４、４と底辺部３との間には補強線材１０が設けられている。この補強線材１０によって衣類を干す際に肩掛け部４、４が衣類の重みによって型崩れしないような構成とされている。
【００３０】
続いて、肩掛け部４、４の上端にはフード（図示せず。）の高さ以上とされたフック支持部５が立設形成され、更にフック支持部５の上端にはフック部６が設けられた構成とされている。
【００３１】
また、肩掛け部４、４の上端にはフック支持部５と向き合うようにその基端が接近した状態でフードの高さと略同高さとしたフード支持部７が立設される。
【００３２】
このフード支持部７は、フード（図示せず。）内に挿入可能な構成とされている。
【００３３】
更に、フード支持部７の上部は手の指（図示せず。）が掛りやすいように波形状に折り曲げられた把持部８が形成されると共に、その先端の両側の２箇所がフック支持部５に接触若しくは近接した状態とされている。
【００３４】
これにより、フード（図示せず。）の上部開口側をフック支持部５とフード支持部７との接触若しくは近接した箇所より挿し入れることによりフードがフード支持部７に係留されることとなる。
【００３５】
なお、波形状に折り曲げられた把持部８を形状記憶合金、かつある程度の力を加えることで変形できるものであれば凹形状部分を下げることによってフードの大きさに合わせることが可能となる。
【００３６】
また、把持部８の凹形状部分の隙間を調整することでフードの開口側の幅に合わせることが可能となる。
【００３７】
次に、本発明を適用した被服用ハンガーの他の形態を図３（図３（イ）は本発明を適用した被服用ハンガーの他の形態の一例目を説明するための正面模式図、図３（ロ）は本発明を適用した被服用ハンガーの他の形態の二例目を説明するための正面模式図、図３（ハ）は本発明を適用した被服用ハンガーの他の形態の三例目を説明するための正面模式図を示す。）に示す。
【００３８】
ここで、図３（イ）に示す被服用ハンガー１は、肩掛け部４、４上に立ち上げられたフック支持部５と、このフック支持部５よりも幅が狭く、かつその高さが低い構成とされたフード支持部７が立設された構成とされている。
【００３９】
このような構成とされた被服用ハンガー１では、フード（図示せず。）をフード支持部７に被せることでフードを立てた状態で係留することができる。
【００４０】
また、図３（ロ）に示す被服用ハンガー１は、肩掛け部４、４上に立ち上げられたフック支持部５の両側端に沿って、互いにその両側端が重ねるように接触させたフード支持部７が立設された構成とされている。
【００４１】
このような構成とされた被服用ハンガー１では、フック支持部５とフード支持部７と間にフード（図示せず。）の開口側を挿し入れることによってフードがフック支持部５とフード支持部７とでフードが風で飛ばされないように係留することができる。
【００４２】
また、図３（ハ）に示す被服用ハンガー１は、肩掛け部４、４上に立ち上げられたフック支持部５の両側端の中途よりフード支持部７が分技されると共にフック支持部５とフード支持部７の一部が接触若しくは近接した構成とされている。
【００４３】
このような構成とされた被服用ハンガー１では、フック支持部５とフード支持部７と間にフード（図示せず。）の開口側を挿し入れることによってフードがフック支持部５とフード支持部７とでフードが風で飛ばされないように係留することができる。
更に、フック支持部５とフード支持部７の一部（本実施例では２箇所）が接触していることでフード（図示せず。）を被せた際に風で飛ばされないように係留されると共にフードに型が付き難くなる。
【００４４】
以上の構成よりなる本発明の被服用ハンガーによるフード付き衣類の取り付ける手順を図４（図４（イ）は本発明を適用した被服用ハンガーによるフード付き衣類の第１の取付状態を示す模式図、図４（ロ）は本発明を適用した被服用ハンガーによるフード付き衣類の第２の取付状態を示す模式図を示す。）に示す。
【００４５】
ここで、フード付き衣類ＡのフードＢの開口側より手Ｃを挿し入れ、フード付き衣類Ａを捲り上げた状態でフード付き衣類Ａの下部より手Ｃを出して被服用ハンガー１のフード支持部７の指係留部８に指Ｄを掛けながらフック支持部５の上部を握る。
【００４６】
続いて、被服用ハンガー１のフード支持部７及びフック支持部５を握った状態でフード付き衣類Ａ内部よりフードＢの開口側より取り出す。
【００４７】
次に、本発明の被服用ハンガーによるフードの取り付け手順を図５（図５（イ）は本発明を適用した被服用ハンガーによるフードの第１の取付状態を裏面側から示す模式図、図５（ロ）は本発明を適用した被服用ハンガーによるフードの第２の取付状態を裏面側から示す模式図、図５（ハ）は本発明を適用した被服用ハンガーによるフードの第２の取付状態を正面側から示す模式図を示す。）に示す。
【００４８】
ここで、フードＢの開口側より被服用ハンガー１のフード支持部７及びフック支持部５を取り出すことによって被服用ハンガー１の肩掛け部４、４によってフード付き衣類Ａの肩部分が係留された状態となる。
【００４９】
続いて、フード支持部７に対してフード付き衣類ＡのフードＢを立ち上げながら被せて、フードＢの上部開口端をフード支持部７の上端とフック支持部５との間に挿し入れた状態で下方へ引っ張ることでフードＢがしっかりと支持される。
【００５０】
これによりフードＢはフード支持部７に被せることで洗濯バサミを一切使用することなく立ち上がった状態での支持が可能となることで型崩れすることなく洗濯干しができると共に、そのままの状態でのクローゼット等への収納が可能となる。
【００５１】
＜実施例２＞
図６は本発明を適用した被服用ハンガーの他の例を説明するための正面模式図である。
【００５２】
ここで示す被服用ハンガー１Ａは、塩化ビニル等の合成樹脂材により被覆された線材を折り曲げ、あるいは接続した構成とされている。
【００５３】
ここで、その両側を傾斜状に折り曲げて肩掛け部４、４が形成された後の底辺部３の長さが肩幅の長さと略等しい長さとした構成とされている。
【００５４】
また、肩掛け部４、４と底辺部３との間には補強線材１０が設けられている。この補強線材１０によって衣類を干す際に肩掛け部４、４が衣類の重みによって型崩れしないような構成とされている。
【００５５】
続いて、肩掛け部４、４の上端にはフード（図示せず。）の高さ以上とされたフック支持部５が立設形成され、更にフック支持部５の上端にはフック部６が設けられた構成とされている。
【００５６】
また、肩掛け部４、４の上端にはフック支持部５と向き合うようにその基端が接近した状態でフードの高さと略同高さとしたフード支持部７が立設される。
【００５７】
ここで、フード支持部７の上部は手の指（図示せず。）が掛りやすいように波形状に折り曲げられた把持部８が形成されると共に、その先端の両側の２箇所がフック支持部５に接触若しくは近接した状態とされている。
【００５８】
更に、フード支持部７の把持部８に沿って、球体状でその中心軸が遊貫状に外挿された回転部材９（例えばビーズ等）が複数個配列された構成とされている。
【００５９】
これにより、フード（図示せず。）の上部開口側をフック支持部５とフード支持部７との接触若しくは近接した箇所より挿し入れることによりフードがフード支持部７に係留されることとなる。
【００６０】
また、フードをフック支持部５とフード支持部７との間に挿し入れる、あるいは抜き取る際には回転部材９がフードとの接触によって回転することで生地が摺れることなくスムーズに脱着を行うことが可能となる。
【００６１】
次に、本発明を適用した被服用ハンガーのフード支持部が１本で構成された場合の形態を図７（図７（イ）は本発明を適用した被服用ハンガーのフード支持部が１本で構成された場合の一例目を説明するための模式図、図７（ロ）は本発明を適用した被服用ハンガーのフード支持部が１本で構成された場合の二例目を説明するための模式図、図７（ハ）は本発明を適用した被服用ハンガーのフード支持部が１本で構成された場合の三例目を説明するための模式図を示す。）に示す。
【００６２】
ここで、図７（イ）に示すフード支持部７は肩掛け部４、４の上端の略中央にフードの高さと略同高さとした単体の線材が立設され、この線材の上端に設けられるＴ字形状の係留部１１とから構成されている。
【００６３】
また、図７（ロ）に示すフード支持部７は肩掛け部４、４の上端の略中央にフードの高さと略同高さとした単体の線材が立設され、この線材の上端に設けられる円弧形状の係留部１１とから構成されている。
【００６４】
また、図７（ハ）に示すフード支持部７は肩掛け部４、４の上端の略中央にフードの高さと略同高さとした単体の線材が立設され、この線材の上端に設けられるリング形状の係留部１１とから構成されている。
【００６５】
このような構成のフード支持部７ではフード（図示せず。）内の頂部が、このフード支持部７の係留部１１に当たるように被せることで洗濯バサミを必要とせずにフードが型崩れすることなく支持することが可能となる。
【００６６】
なお、本実施例ではフック支持部を所定幅を持たせた形態のみを示すものであるが、必ずしも所定幅を持たせる必要性はなく、フード支持部に近接された状態で単体の線材により構成されるものであっても構わない。
【００６７】
以上の構成よりなる本発明の被服用ハンガーでは、前記図４及び図５において上述したように、フード付き衣類ＡのフードＢの開口側より手Ｃを挿し入れる。
【００６８】
続いて、フード付き衣類Ａを捲り上げた状態でフード付き衣類Ａの下部より手Ｃを出して被服用ハンガー１のフード支持部７の把持部８に指Ｄを掛けながらフック支持部５の上部を握る。
【００６９】
そして被服用ハンガー１のフード支持部７及びフック支持部５を握った状態でフード付き衣類Ａ内部よりフードＢの開口側より取り出す。
【００７０】
ここで、フードＢの開口側より被服用ハンガー１のフード支持部７及びフック支持部５を取り出すことによって被服用ハンガー１の肩掛け部４、４によってフード付き衣類Ａの肩部分が係留された状態となる。
【００７１】
続いて、フード支持部７に対してフード付き衣類ＡのフードＢを立ち上げながら被せて、フードＢの上部開口端をフード支持部７の上端とフック支持部５との間に挿し入れることでフードＢがしっかりと支持される。
【００７２】
ここで、フードＢの開口端を下方へ引っ張ることで前記図６において詳述した回転部材９が回転し、この回転部材９の回転によりフードＢの生地が摺れることなく、かつ伸びることがなく、スムーズにフード支持部７を包み込むことができる。
【００７３】
これによりフードＢはフード支持部７に被せることで洗濯バサミを一切使用することなく立ち上がった状態での支持が可能となることで型崩れすることなく洗濯干しができると共に、そのままの状態でのクローゼット等への収納が可能となる。
【符号の説明】
【００７４】
１、１Ａ    被服用ハンガー
３          底辺部
４          肩掛け部
５          フック支持部
６          フック部
７          フード支持部
８          把持部
９          回転部材
１０        補強線材
１１        係留部
【図１】
2012000321.tif 000003
【図２】
2012000321.tif 000004
【図３】
2012000321.tif 000005
【図４】
2012000321.tif 000006
【図５】
2012000321.tif 000007
【図６】
2012000321.tif 000008
【図７】
2012000321.tif 000009
【図８】
2012000321.tif 000010
【図９】
2012000321.tif 000011
【図１０】
2012000321.tif 000012